(57)【要約】【課題】  従来のエアダクト、及び／又は、吹出ダクトを利用して、生長点に向かって、ＣＯ２、又は暖気とかを送風する構造は、ハウス内の屋根近傍にある、高温空気をコントロールする循環方式でない。従って、高温空気を、生長点に向かって、送風し、収穫量・品質等の向上等に適した空気環境を確保すること、又は植物（作物）の成育に役立てること、等に関しては、十分でない。【解決手段】  本発明は、ハウスの、例えば、梁に吊下した送風機とダクトにより、ハウスの地表近傍か、又は棚栽培植物の生長点に向かって、ハウス内空気、又は暖気を吹出す供給手段を採用するハウス栽培において、植物の花芽、又は茎等の生長点への送風は、ハウスの上方の高低温空気を供給し、植物の成長に最適な空気環境を達成可能としたハウス栽培の空気循環システムであり、ハウス内の屋根近傍にある、高温空気をコントロールする循環方式の提案である。【選択図】      図１
2015228813.tif 000002
【特許請求の範囲】
【請求項１】
ハウスに設けた送風機とダクトを利用して、該ハウスの地表近傍か、又は棚栽培植物の生長点、又は生長点の近傍に向かって、このハウス内空気、又は二酸化炭素、或いは温風、又は外気を供給する供給手段を採用するハウス栽培において、
前記生長点が、前記植物の花芽、又は茎とし、この生長点に対して、該ハウスの上方の空気を供給、又は二酸化炭素発生機からの前記二酸化炭素を供給、或いは暖房機からの前記温風を供給、又は前記外気を供給することで、該植物の成長に最適な空気環境を達成可能とする構成としたハウス栽培の空気循環システム。
【請求項２】
前記ハウスの棚栽培植物を、このハウスの梁に吊下した紐、又はワイヤでなるハンギングガター方式を採用し、この棚栽培植物と同期するように、前記ダクトを、伸縮、又は上下動による移動手段を利用して、対応可能とし、前記植物の成長に最適な空気環境を達成可能とする構成とした請求項１に記載のハウス栽培の空気循環システム。
【請求項３】
前記ダクトの伸縮、又は上下動による移動手段の運転、及び／又は、送風機の運転を、前記生長点領域温度を検出する低所温度センサと、この生長点から離れた領域温度を検出する高所温度センサとを利用し、前記送風機を運転する構成とした請求項２に記載のハウス栽培の空気循環システム。
【請求項４】
前記低所温度センサと高所温度センサとの温度差が、３℃を基準として、以上の際に、前記送風機を運転する構成とした請求項３に記載のハウス栽培の空気循環システム。
【請求項５】
前記ダクトを、ハウスの土耕栽培植物か、又は棚栽培植物の生長点に至らしめた後、このハウスの棟方向に延設する構成とした請求項１に記載のハウス栽培の空気循環システム。
【請求項６】
前記ダクトを、ハウスの棚栽培において、この棚毎に、前記ダクトを、配置する構成とした請求項１に記載のハウス栽培の空気循環システム。
【発明の詳細な説明】
【技術分野】
【０００１】
本発明は、ハウス（建屋）栽培の空気循環システムに関する。
【背景技術】
【０００２】
従来、生長点に向かって、ＣＯ２、又は暖気とかを送風する文献としては、特開２００６−６７８８８号公報（文献（１））と、特開２０１３−１３５６２５号公報（文献（２））が挙げられる。
【０００３】
この文献（１）、（２）は、何れも、エアダクト、及び／又は、吹出ダクトを利用して、生長点に向かって、ＣＯ２、又は温風とかを送風する構造である。従って、ハウス内の屋根近傍にある、高温空気をコントロールする循環方式でないと考えられる。
【０００４】
そこで、本発明は、ハウス（大型ハウス、高軒高ハウスとか、高密度植栽ハウス等）内の屋根近傍にある、高温空気（冷気もあり得る）をコントロールする循環方式を提案すること、又はハウスにおいて、植物の多数の生長点
に暖気等を供給するとともに、成長促進と、葉面の気孔の正常化と、葉面近傍の空気の流れを確保し（上昇空気を生成し）、葉面のムレを無くすこと、等により植物成長に快適な、温度調整が図れた空気の流れ、二酸化炭素等を含む空気の流れ等の空気環境を確保すること、また、徒長が少なく、かつ節間の短い、丈夫で健康的な作物生成が図れること、さらに、光合成の促進を図り、農作物の増産と経済性の確保を図りつつ、しかも燃費の節約が図れるハウス栽培の空気循環システムを提供する。
【０００５】
【特許文献１】特開２００６−６７８８８号公報
【特許文献２】特開２０１３−１３５６２５号公報
【発明の概要】
【発明が解決しようとする課題】
【０００６】
前述の如く、従来の文献（１）、文献（２）では、本発明が目的とする「ハウス内の屋根近傍にある、高温空気をコントロールする循環方式の提案と、又はこの高温空気を、生長点に向かって、送風し、収穫量の向上等に適した温度調整が図れた空気の流れ、二酸化炭素等を含む空気の流れの空気環境の確保と、又は植物（作物）の成育に役立てること、等」に関しての構造が開示されておらず、問題を抱えている。
【課題を解決するための手段】
【０００７】
本発明は、ハウス内の屋根近傍にある、高温空気の供給をコントロールする循環方式、必要により、又は二酸化炭素発生機からの二酸化炭素の供給をコントロールする循環方式、或いは暖房機からの温風の供給をコントロールする循環方式提案すること、又はハウスにおいて、植物の多数の生長点に温風等を供給するとともに、成長促進と、葉面の気孔の正常化と、葉面近傍の空気の流れを確保し（上昇空気を生成し）、葉面のムレを無くすこと、等により植物成長に快適な、温度調整が図れた空気の流れ、又は二酸化炭素等を含む空気の流れ、或いは暖房機からの温風の流れ、又は外気の流れと、これらの総合的・組合せによる空気の流れによる空気環境を確保すること、また、徒長が少なく、かつ節間の短い、丈夫で健康的な作物生成が図れること、さらに、光合成の促進を図り、農作物の増産と経済性の確保を図りつつ、しかも燃費の節約が図れるハウス栽培の空気循環システムを提供するために、請求項１〜６を提案する。
【発明の効果】
【０００８】
請求項１の発明は、ハウスに設けた送風機とダクトを利用して、ハウスの地表近傍か、又は棚栽培植物の生長点、又は生長点の近傍に向かって、ハウス内空気、又は二酸化炭素、或いは温風、又は外気を供給する供給手段を採用するハウス栽培において、
生長点が、植物の花芽、又は茎とし、生長点に対して、ハウスの上方の空気を供給、又は二酸化炭素発生機からの二酸化炭素を供給、或いは暖房機からの温風を供給、又は外気を供給することで、植物の成長に最適な空気環境を達成可能とする構成としたハウス栽培の空気循環システであり、ハウス全体に熱対流を惹起し、かつこの熱対流が生産物、植物群落内における葉面境界層での適度な気流の流れを発生させるとともに、植物の各生長点Ａ１、又は各生長点近傍に向かって気流の流れを確保し、葉面の活性化と、光合成の促進化等に寄与できること、又はハウスの上方の高低温空気、又は二酸化炭素発生機からの二酸化炭素を供給、或いは暖房機からの温風を、生長点に向かって、送風（供給）し、収穫量・品質等の向上等に適した温度調整が図れた空気の流れ、二酸化炭素等を含む空気の流れ等、又はこれらの総合的・組合せによる空気の流れによる空気環境が確保できること、又は植物（作物）の成育に役立て得ること、等の特徴がある。
【０００９】
請求項２の発明は、ハウスの棚栽培植物を、ハウスの梁に吊下した紐、又はワイヤでなるハンギングガター方式を採用し、棚栽培植物と同期するように、ダクトを、伸縮、又は上下動による移動手段を利用して、対応可能とし、植物の成長に最適な空気環境を達成可能とする構成としたハウス栽培の空気循環システムであり、請求項１の目的達成に寄与できるとともに、ハンギングガター方式に最適なハウス栽培の空気循環システムを提供できる。
【００１０】
請求項３の発明は、ダクトの伸縮、又は上下動による移動手段の運転、及び／又は、送風機の運転を、生長点領域温度を検出する低所温度センサと、生長点から離れた領域温度を検出する高所温度センサとを利用し、送風機を運転する構成としたハウス栽培の空気循環システムであり、請求項２の目的達成に寄与できるとともに、省資源化が図れる送風機の運転システムを提供できる。
【００１１】
請求項４の発明は、低所温度センサと高所温度センサとの温度差が、３℃を基準として、以上の際に、送風機を運転する構成としたハウス栽培の空気循環システムであり、請求項３の目的達成に寄与できるとともに、省資源化に最適なハウス栽培の空気循環システムを提供できる。
【００１２】
請求項５の発明は、ダクトを、ハウスの土耕栽培植物か、又は棚栽培植物の生長点に至らしめた後、ハウスの棟方向に延設する構成としたハウス栽培の空気循環システムであり、請求項１の目的達成に寄与できるとともに、省資源化に最適なダクトを備えたハウス栽培の空気循環システムを提供できる。
【００１３】
請求項６の発明は、ダクトを、ハウスの棚栽培において、棚毎に、ダクトを、配置する構成としたハウス栽培の空気循環システムであり、請求項１の目的達成に寄与できるとともに、ダクトの構造を提供できる。
【図面の簡単な説明】
【００１４】
【図１】ハウス内において、植物（例えば、トマト）を、ハンギングガター方式により栽培する状態を示した模式図
【図２】実施態様の一例を示した正面模式図
【図３】図２の要部を示した側面模式図
【図４】実施態様に使用する、好ましい一例を示した送風機とダクトの模式図
【図５】実施態様に使用する、好ましい一例を示した循環扇の模式図
【図６】送風機の動作を説明するフローチャート
【発明を実施するための形態】
【００１５】
本発明の実施態様を説明すると、１はハウスであり、このハウス１の、例えば、梁２（陸梁）、支持材等の吊下げ手段には、例えば、ハウス１の短手方向Ｘにおいて、一本〜複数本のフックと紐、又はワイヤ等でなる支持部材３を介して、一基〜複数基の送風機４と、一本〜複数本のダクト５を吊下げる。このダクト５は、図示しないが、適宜の手段で、伸縮、又は上下動する構造である。また、このダクト５には、ハウス１の長手方向Ｙ（棟方向）に付設した分岐ダクト５０が設けられる。尚、ダクト５と、送風機４等のハウス１への支持方法は、一例である。また、ダクト５の移動手段としては、例えば、上下動ベース、リンク機構、又は紐等の引上げ、引下げ・伸縮等が考えられる。
【００１６】
送風機４は、風胴４００と、この風胴４００に間隔をおいて設けた天井カバー４０１と、風胴４００の上部に設けたファン４０２と、図示しないファン４０２駆動用モータと、ファン４０２をカバーし、かつ風胴４００と天井カバー４０１とを繋ぐ網体でなるガード４０３とで構成されており、ファン４０２の回転で、風胴４００内に空気を導入する。そして、風胴４００の下側開口部に、前記ダクト５を支持し、風胴４００に導入された高温空気、又は図示しないが、二酸化炭素（外気中か、又は、図示しないが、二酸化炭素発生機より）、又は外気、或いは図示しないが、暖房機からの温風等は、ダクト５に送られる。
【００１７】
６は梁２に吊下されたハンギングガター方式に使用される紐、又はワイヤ６００、滑車６０１等でなる支持手段であり、この支持手段６は、長手方向Ｙに設けた他の梁２ａにも吊下されている。従って、対の支持手段６、６により、栽培床７（棚）を支持する。また、この一例では、栽培床７の長手方向Ｙの一方端（一方栽培床７ａ、又は途中の隙間に、ダクト５を吊下げ、このダクト５の床面、又は株間に、一本、又は多数本の分岐ダクト５０、５０…………（５０とする）を設け、かつ各分岐ダクト５０（分岐ダクト５０とする）を、栽培床７の長手方向Ｙの他方端（他方栽培床７ｂ）に敷設する。例えば、図１に示した例では、分岐ダクト５０は、栽培床７（栽培棚）毎に設置される。従って、棚下から、後述する分岐ダクト５０の細孔５０００と、並びに細孔５０００の方向性を利用し、植物Ａの根元から、順次、各段の葉面、及び／又は、各生長点Ａ１、又は各生長点近傍に向かって、集中的に、それぞれ暖気を送る。また、図３に示した例では、細径の分岐ダクト５０を、植物Ａの群落間（株間）に、多数本配備し、細孔５０００を介して、植物Ａの各生長点Ａ１、又は各生長点近傍に、向かって、順次、それぞれ、高温空気等を送る。
【００１８】
図中Ｈは高所温度センサ、Ｌは低所温度センサであり、高所温度センサＨは、ハウス１の上部、又は生長点Ａ１から離れた領域で、低所温度センサＬは、植物Ａの生長点Ａ１、又は生長点Ａ１の近傍に、一基〜数基設ける。植物Ａの生長に合わせることを意図する。
【００１９】
図中４ａは、ハウス１に吊下した循環扇を示しており、ハウス１内の空気を撹拌する。
【００２０】
次に、図１〜図３と、図６のフローチャートに示した、一例を参考として、送風機４の運転と、風の流れを説明すると、冬季等において、ハウス１の上部に高温空気があり、逆に、栽培床７が低温空気となった状態では、例えば、高所温度センサＨの検出値が、低所温度センサＬの検出値に対して、高い時は、送風機４を運転して、高温空気を、ダクト５に取込み、この高温空気を分岐ダクト５０により、植物Ａの株間、及び／又は、かつ生長点Ａ１に送風する。これにより、生長点Ａ１は、高温空気の恩恵を受けて、成長促進と花芽の生育に有益である。尚、高温空気の送風により、生長点Ａ１の温度が、成長促進と花芽の生育に適した状態では、送風機４の運転を停止する。この操作を行い、高温空気を、一方栽培床７ａと他方栽培床７ｂに向かって、順次、必要時において送風される。即ち、図３において、一方栽培床７ａと他方栽培床７ｂに向かって、同じ方向に向かって、順次よく、確実、かつスムーズに空気が流れる。これにより、図２の如く、長手方向Ｙへの高温空気、又は二酸化炭素を含む空気、又は外気等の空気の流れとなる。植物の生長点等に対して、適度の空気の流れを確保し、植物の耐性の刺激と、成長の促進、糖度アップ等の品質向上と、細菌対抗性の向上と、収穫量等の向上とに寄与できる。
【００２１】
以上で説明した各実施例は、好ましい一例を示したものであり、同様な効果と特徴を有する他の構造、手段は、本発明の範疇である。
【符号の説明】
【００２２】
１  ハウス
２  梁
２ａ  梁
３  支持部材
４  送風機
４ａ  循環扇
４００  風胴
４０１  天井カバー
４０２  ファン
４０３  ガード
５  ダクト
５０  分岐ダクト
５０００  細孔
６  支持手段
６００  ワイヤ
６０１  滑車
７  栽培床（棚）
７ａ  一方栽培床
７ｂ  他方栽培床
Ａ  植物
Ａ１  生長点
Ｈ  高所温度センサ
Ｌ  低所温度センサ
Ｘ  短手方向
Ｙ  長手方向
【図１】
2015228813.tif 000003
【図２】
2015228813.tif 000004
【図３】
2015228813.tif 000005
【図４】
2015228813.tif 000006
【図５】
2015228813.tif 000007
【図６】
2015228813.tif 000008